(57)【要約】      （修正有）【課題】消費者が包装箱の左右方向から見ても表示板の内容を視認しやすい包装箱を提供する。【解決手段】正面板２０、第１側面板３０、背面板５０、第２側面板４０及び底板により構成される箱本体と、箱本体を閉塞する蓋板８０と、を備える直方体状の包装箱である。正面板には、正面板の上端縁から山折線を介して延出している延出部と、山折線の一端から正面板の側縁に沿う方向に延びる谷折線２９と、谷折線の先端と山折線の他端とを結ぶ破断予定線（第２破断予定線２７）とが形成されている。【選択図】図３
0003220116.tif 000002
【実用新案登録請求の範囲】
【請求項１】
正面板、第１側面板、背面板、第２側面板及び底板により構成される箱本体と、該箱本体を閉塞する蓋板と、を備える直方体状の包装箱であって、
前記正面板には、該正面板の上端縁から山折線を介して延出する延出部と、該山折線の一端から該正面板の側縁に沿う方向に延びる谷折線と、該谷折線の先端と該山折線の他端とを結ぶ破断予定線とが形成されていることを特徴とする包装箱。
【請求項２】
正面板、第１側面板、背面板、第２側面板及び底板により構成される箱本体と、該箱本体を閉塞する蓋板とを備える直方体状の包装箱であって、
前記正面板には、側縁に沿う方向に延びる谷折線と、該谷折線の両端を繋ぐ曲線または屈曲線状の破断予定線とが形成されていることを特徴とする包装箱。
【請求項３】
請求項１記載の包装箱において、
前記正面板には、前記破断可能線を繋ぐとともに少なくとも一端が該谷折線の端部から所定の距離を存する山折線が形成されていることを特徴とする包装箱。
【考案の詳細な説明】
【技術分野】
【０００１】
本考案は、表示板を備える包装箱に関する。
【背景技術】
【０００２】
従来、正面板、第１側面板、背面板、第２側面板及び底板により構成される箱本体と、該箱本体を閉塞する蓋板とを備える包装箱として、商品展示用に組み立てた状態で、宣伝用の文字や絵柄等を表示した表示板を有するものが知られている（例えば、特許文献１参照）。
【０００３】
特許文献１の包装箱は、前記正面板内に、該正面板の上端縁に沿った方向に延びた第１折目線と、該第１折目線の両端部から該上端縁に至る破断線とで画定され、該第１折目線に沿って外側へ折り返すことが可能な折返し可能部が設定されており、該正面板には、該折返し可能部の上端縁に第２折目線を介して接続され、該正面板の裏側に該第２折目線に沿って折り重ねられた表示板を備える。
【先行技術文献】
【特許文献】
【０００４】
【特許文献１】実用新案第３２１８８４２号
【考案の概要】
【考案が解決しようとする課題】
【０００５】
しかしながら、上記特許文献１の包装箱によれば、商品を収納した状態の包装箱が商品棚に陳列されている際に、消費者が表示板の内容を視認するには、包装箱に正対する必要があり、包装箱の左右方向から見ると、表示板の内容を視認しにくいという不都合があった。
【０００６】
本考案の目的は、かかる従来技術の課題に鑑み、消費者が包装箱の左右方向から見ても表示板の内容を視認しやすい包装箱を提供することにある。
【課題を解決するための手段】
【０００７】
かかる目的を達成するために、本考案の第１の包装箱は、正面板、第１側面板、背面板、第２側面板及び底板により構成される箱本体と、該箱本体を閉塞する蓋板と、を備える直方体状の包装箱であって、前記正面板には、該正面板の上端縁から山折線を介して延出する延出部と、該山折線の一端から該正面板の側縁に沿う方向に延びる谷折線と、該谷折線の先端と前記山折線の他端とを結ぶ破断予定線とが形成されていることを特徴とする。
【０００８】
本考案の包装箱の正面板には、谷折線と、該谷折線の先端と前記山折線の他端とを結ぶ破断予定線とが形成されているので、該正面板の一部を該破断予定線に沿って破断して該谷折線に沿って前記箱本体の外側に折り返すことができる。このとき、前記谷折線は前記正面板の側縁に沿って延びているため、該正面板の一部を側縁に沿って該正面板に対して右側または左側を向くように折り返すことができる。
【０００９】
この折り返された該正面板の一部には、上端縁から山折線を介して延出する延出部が形成されているので、右側または左側に折り返した正面板の一部の裏面に対して、延出部を山折線により折り返すことができる。
【００１０】
したがって、この構成を備える包装箱によれば、消費者が包装箱の左右方向から見ても表示板の内容を視認しやすい。
【００１１】
本考案の第２の包装箱は、正面板、第１側面板、背面板、第２側面板及び底板により構成される箱本体と、該箱本体を閉塞する蓋板とを備える直方体状の包装箱であって、前記正面板には、側縁に沿う方向に延びる谷折線と、該谷折線の両端を繋ぐ曲線または屈曲線状の破断予定線とが形成されていることを特徴とする。
【００１２】
本考案の包装箱の正面板には、谷折線と、該谷折線の両端を繋ぐ破断予定線が形成されているので、該正面板の一部を該破断予定線に沿って破断して該谷折線に沿って前記箱本体の外側に折り返すことができる。このとき、前記谷折線は側縁に沿う方向に延びているため、該正面板の一部を側縁に沿って該正面板に対して右側または左側を向くように折り返すことができる。
【００１３】
したがって、本考案の包装箱によれば、消費者が包装箱の左方向または右方向から見ても表示板の内容を視認しやすい。
【００１４】
また、本考案の第２の包装箱において、前記正面板には、該破断可能線を繋ぐとともに少なくとも一端が該谷折線の端部から所定の距離を存する山折線が形成されていることが好ましい。
【００１５】
この構成を有する包装箱では、右側または左側に折り返した正面板の一部を山折線に沿って折り曲げることで、該正面板の一部の裏面を折り合わせることができる。
【００１６】
したがって、この構成を備える包装箱によれば、消費者が包装箱の左右方向から見ても表示板の内容を視認しやすい。
【図面の簡単な説明】
【００１７】
【図１】本考案の第１実施形態に係る包装箱の斜視図
【図２】本考案の第１実施形態に係る包装箱の板紙
【図３】本考案の第１実施形態に係る包装箱を開梱し、商品を展示する状態の斜視図
【図４】本考案の第２実施形態に係る包装箱の斜視図
【図５】本考案のその他の変形例の正面板のみを表す模式図
【考案を実施するための形態】
【００１８】
［第１実施形態］
本考案の第１実施形態を図１〜図３に基づいて説明する。
【００１９】
第１実施形態の包装箱１は、所謂Ｂ式の段ボール箱であり、図１に示すように、正面板２０、第１側面板３０、第２側面板４０、背面板５０及び底板６０により構成される四角筒状の箱本体７０と、箱本体７０の上方の開放端を閉塞する蓋板８０とを備える。
【００２０】
図２に示すように、包装箱１は、一枚の段ボール板紙１０から形成されている。段ボール板紙１０は、向かって左側から第１側面板３０、正面板２０、第２側面板４０及び背面板５０がそれぞれ折目線ａ１、ａ２及びａ３を介して横方向に連設されている。前記背面板５０には、折目線ｂを介して接着片５１が連設されている。
【００２１】
背面板５０の上端縁には、折目線ｃを介して蓋板８０が連設されている。蓋板８０の上端縁には、箱本体７０とされたときの正面板２０の上端部内面側に差し込まれるタック８１が折目線ｅを介して連設されている。
【００２２】
第１側面板３０及び第２側面板４０の上端縁には、折目線ｄを介して一対の内フラップ３１、４１がそれぞれ連設されている。内フラップ３１，４１の側端縁のうち正面板２０側の側端縁は、先端側が段差部を介して斜めに切り欠かれている。
【００２３】
第１側面板３０と第２側面板４０の下端縁には、折目線ｆを介して一対の第１底板フラップ６１がそれぞれ連設されている。第１底板フラップ６１は台形状である。
【００２４】
正面板２０及び背面板５０の下端縁には、折目線ｇを介して一対の第２底板フラップ６２がそれぞれ連設されている。第２底板フラップ６２は概略矩形状である。第２底板フラップ６２には、先端縁のほぼ中央に凹部６２ａが形成されているとともに、凹部６２ａの底部から折目線ｇの左側端部まで延びる折畳線６２ｂが形成されている。第２底板フラップ６２のうち折畳線６２ｂより左下側には、三角状の接着部６２ｃが形成されている。
【００２５】
正面板２０には、正面板の上端縁から山折線２１を介して延出している第１表示領域２２（本考案の延出部に相当する。）が設けられている。また、正面板２０には、山折線２１を中心線として第１表示領域２２の形状と上下対称に形成されている第２表示領域２３とが形成されている。
【００２６】
この山折線２１の右端には、正面板２０の側縁と平行に延びる第１破断予定線２６が連接されている。また、この第１破断予定線２６の先端からは、延長線上に延びる谷折線２９が連接されている。さらに、この谷折線２９の先端は、山折線２１の左端まで延びる概略Ｌ字状の第２破断予定線２７（本考案の破断予定線に相当する。）によって山折線２１に接続されている。
【００２７】
前記第２表示領域２３は、山折線２１、第１破断予定線２６、谷折線２９及び第２破断予定線２７によって囲まれた領域である。
【００２８】
正面板２０には、第２表示領域２３の下底及び左側縁に沿って、概略Ｌ字状の破断予定部２４が形成されている。
【００２９】
正面板２０には、破断予定部２４の上端縁の中央位置に、半円状の摘み部２５が延設されている。また、正面板２０には、破断予定部２４の左上隅部から谷折線２９の先端まで概略逆Ｊ字状に延びる屈曲線状の第３破断予定線２８が形成されている。
【００３０】
前記破断予定部２４は、正面板２０の上端縁と、第２破断予定線２７と、第３破断予定線２８とで囲まれた領域である。
【００３１】
正面板２０、第１側面板３０、背面板５０及び接着片５１には、正面板２０の第１破断予定線２６の先端部から第１側面板３０、背面板５０を通って接着片５１の右側縁に至るまで、正面板２０、第１側面板３０及び背面板５０の上端縁に平行に延びる所謂ジッパーＺ１が形成されている。
【００３２】
正面板２０及び第１側面板３０には、第３破断予定線２８の右側縁から第１側面板３０の左端縁に至るまで、正面板２０の上端縁とジッパーＺ１との間隔と等しい間隔を開けて、正面板２０及び第１側面板３０の上端縁に平行に延びる所謂ジッパーＺ２が形成されている。
【００３３】
次に、段ボール板紙１０から包装箱１を組み立てる工程を説明する。
【００３４】
まず、第１表示領域２２を山折線２１に沿って第２表示領域２３の裏側に折り重ねて、ホットメルト接着剤により接着する。
【００３５】
次に、第１側面板３０、正面板２０、第２側面板４０及び背面板５０を折目線ａ１，ａ２及びａ３に沿って角筒状に折り曲げて、最後に、接着片５１を折目線ｂに沿って折り曲げ、第１側面板３０の左側縁の裏側に重合させて接着する。これにより、箱本体７０は筒状になり、各ジッパーＺ１、Ｚ２は箱本体７０の周囲を一周する。
【００３６】
次に、一対の第１底板フラップ６１と一対の第２底板フラップ６２を、折目線ｆ又はｇに沿ってそれぞれ先端が向かい合うように周方向に順次反時計回りに箱本体７０の内側に９０°折り曲げる。
【００３７】
次に、第２底板フラップの接着部６２ｃの内面側と、これが重ねられている第１底板フラップ６１の外面側とを糊付け等によって固定する。そして、折畳線６２ｂに沿って第２底板フラップ６２を谷折りにして畳むことで、扁平な折り畳み状態の包装箱１が形成される。
【００３８】
次に、扁平な折り畳み状態の包装箱１を組み立てて商品を収納する工程を説明する。
【００３９】
まず、扁平な折り畳み状態において、箱本体７０の折目線ａ１と折目線ａ３とを、互いに接近する方向に押していく。そうすると、正面板２０、第１側面板３０、第２側面板４０及び背面板５０が四角筒状に変形する。
【００４０】
このとき、折目線ａ２及び折目線ａ４は、扁平に折り畳まれて接近していた状態から徐々に離間していくため、折目線ａ１及び折目線ａ３にそれぞれ連接されている第１底板フラップ６１及び第２底板フラップ６２もこの離間していく方向に牽引される。
【００４１】
この結果、相互に固定された第１底板フラップ６１及び第２底板フラップ６２も、折畳線６２ｂで折り畳まれた状態から、徐々に平板状に伸展していく。そして、各第２底板フラップ６２に形成された凹部６２ａが互いに滑り込んで嵌入される。
【００４２】
以上により、包装箱１の底板６０が形成され、箱本体７０が組み立てられる。
【００４３】
次に、箱本体７０内に商品を収納し、一対の内フラップ３１，４１をそれぞれ折目線ｄに沿って内側に折り曲げ、蓋板８０を折目線ｃに沿って折り曲げる。そして、タック８１を折目線ｅに沿って折り曲げて、正面板２０の上端部裏側に差し込む。
【００４４】
このとき、タック８１は、一対の内フラップ３１，４１の正面板２０側の端部と、正面板２０との間に挟まれた状態になる。これにより、箱本体７０の上方の開放端が閉塞され、商品を収納した包装箱１の形成が完了する。
【００４５】
次に、包装箱１を開梱し、商品を展示する工程を説明する。
【００４６】
図３Ａに示す通り、まず、蓋板８０を開放状態にして、正面板２０から延出する摘み部２５を指で摘み、第２破断予定線２７及び第３破断予定線２８に沿って手前に引っ張って、破断予定部２４を正面板２０から分離させる。
【００４７】
次に、第１破断予定線２６を破断し、該破断した部分からジッパーＺ１を、破断予定部２４が存在した部分の右側縁からジッパーＺ２を、それぞれ箱本体７０の外周に沿って破断して、正面板２０、第１側面板３０、第２側面板４０及び背面板５０の上端部を背面板５０の上端縁に連設された蓋板８０とともに箱本体７０から分離する。
【００４８】
最後に、図３Ｂに示すように、第２表示領域２３を谷折線２９に沿って箱本体７０の外側に折り返すことで、第２表示領域２３の設定が完了する。
【００４９】
以上説明した第１実施形態の包装箱１によれば、図３Ｂにおいて第２表示領域２３が左方向を向き、この第２表示領域２３の裏面に第１表示領域２２が接着されているため、消費者が包装箱の左右方向のいずれから見ても表示板の内容を視認しやすい。
【００５０】
特に、第１実施形態の包装箱１では、ジッパーＺ１及びＺ２を破断して箱本体７０の周壁の上端部を分離させることで、分離させた後に残った箱本体７０の周壁より第１表示領域２２及び第２表示領域２３を上方に長くすることができるため、表示領域をより目立たせることができる。
【００５１】
また、第１実施形態の包装箱１は、正面板２０から第２表示領域２３を分離させて箱本体７０の外側に折り返す際に、破断予定部２４を破断させることで正面板２０から第２表示領域２３を周囲から分離させている。そのため、正面板２０により大きな開口部が形成されるので、箱本体７０内の商品を容易に取り出すことができる。
【００５２】
また、第１実施形態の包装箱１は、破断予定部２４から摘み部２５が延出しているため、開梱する際には摘み部２５を指で摘んで手前に引っ張ることで、破断予定部２４を破断するきっかけを容易に得ることができる。
【００５３】
［第２実施形態］
本考案の第２実施形態を図４に基づいて説明する。なお、第２実施形態以降の実施形態において第１実施形態と同一の構成には説明を省略する。
【００５４】
第２実施形態の包装箱２は、所謂Ｂ式の段ボール箱であり、一対の内フラップの折目線ｄと蓋板２８０の折目線ｃには、それぞれミシン目が形成されている点で異なる。
【００５５】
正面板２２０は、正面板２２０の上端縁の中心部から側縁に沿う方向に延びる山折線２２１と、山折線２２１を中心線としてそれぞれ左右対称な矩形状である第１表示領域２２２及び第２表示領域２２３を備える。
【００５６】
第１表示領域２２２は、正面板２２０の上端縁と、山折線２２１と、山折線２２１と平行に等しい長さで延びる谷折線２２９と、山折線２２１の先端と谷折線２２９の先端とを結ぶ第１破断予定線２２６によって画定された領域である。
【００５７】
第２表示領域２２３は、正面板２２０の上端縁と、山折線２２１の先端から正面板２２０の上端縁まで延びる逆Ｌ字状の第２破断予定線２２７とによって画定された領域である。第２表示領域２２３とされる正面板２２０の上端縁上には、折目線ｈを介して半円状の摘み部２２５が延出している。
【００５８】
次に、包装箱２を開梱し、商品を展示する工程を説明する。
【００５９】
まず、蓋板２８０を開放状態にして、蓋板２８０及び一対の内フラップをそれぞれミシン目に沿って破断し、箱本体２７０から分離させる。次に、摘み部２２５を指で摘み手前に引っ張って、正面板２２０を第２破断予定線２２７に沿って縦方向、左方向と順次破断した後、第１破断予定線２２６に沿って左方向に破断する。そして、正面板２２０のうち破断した部分を谷折線２２９に沿って箱本体２７０の外側に折り返した後、山折線２２１に沿って第２表示領域２２３を第１表示領域２２２の裏側に折り重ねる。最後に摘み部２２５を折目線ｈに沿って第１表示領域２２２の表面に折り重ねて、第２表示領域２２３を第１表示領域２２２の裏側に折り重ねた状態で固定する。
【００６０】
以上説明した第２実施形態の包装箱２によれば、第１表示領域２２２を正面板２２０に延設させることなく、正面板２２０内から分離して設けることができるため、通常のＢ式の段ボール箱と同様の形状の段ボール板紙から第１表示領域２２２及び第２表示領域２２３を有する包装箱を形成することができる。
【００６１】
また、第２実施形態の包装箱２は、第２表示領域２２３に設けられた摘み部２２５を第１表示領域２２２の表面に折り重ねることができるため、第２表示領域２２３と第１表示領域２２２とを折り重ねた状態で固定することができる。
【００６２】
図５（ａ）〜（ｃ）に基づいてその他の変形例について説明する。なお、図５（ａ）〜（ｃ）はすべて本考案に係る組み立てられた包装箱を正面視したときの正面板のみを模式的に表した図である。
【００６３】
図５（ａ）が示すように、第３実施形態では、正面板３２０に矩形状の第２表示領域３２３が設けられている。
【００６４】
第２表示領域３２３は、正面板３２０の上端縁から側縁に沿う方向に延びる谷折線３２９と、谷折線３２９の先端から正面板３２０の上端縁まで延びる逆Ｌ字状の破断予定線とで画定された領域である。
【００６５】
上述した第１実施形態及び第２実施形態においては、第１表示領域２２，２２２及び第２表示領域２３，２２３を有するものを示したが、本実施形態で示すように、第２表示領域３２３のみを有するものでもよい。
【００６６】
図５（ｂ）が示すように、第４実施形態では、正面板４２０の中間部に、正面板４２０の側縁に沿う方向に延びる山折線４２１と、山折線４２１を中心線として第１表示領域４２２及び第２表示領域４２３が左右対称に形成されている。
【００６７】
正面板２０の中間部には、山折線４２１の右側に山折線４２１と平行に延びる谷折線４２９と、谷折線４２９の上端から山折線４２１の上端及び下端を通って谷折線４２９の下端までを結ぶ概略コの字状の破断予定線が形成されている。このとき、谷折線４２９と破断予定線とで画定された領域のうち、山折線４２１より左側の領域が第１表示領域４２２であり、山折線４２１より右側の領域が第２表示領域４２３である。
【００６８】
上述した第１実施形態及び第２実施形態においては、第１表示領域２２，２２２及び第２表示領域２３，２２３が正面板２０，２２０の上端縁に接して形成されているものを示したが、本実施形態で示すように、第１表示領域４２２及び第２表示領域４２３は正面板４２０の中間部に形成されていてもよいし、図示しないが、正面板の下端縁に接して形成されていてもよい。
【００６９】
また、第１実施形態及び第２実施形態においては、谷折線２９，２２９は正面板２０，２２０内の左寄りに形成されているものを示したが、本実施形態で示すように、谷折線４２９は正面板４２０内の右寄りに形成されていてもよい。
【００７０】
図５（ｃ）が示すように、第５実施形態では、正面板５２０において、山折線５２１を中心線として第１表示領域５２２と第２表示領域５２３とが上下対称に形成されている。
【００７１】
正面板５２０には、正面板５２０の上端縁から側縁に沿う方向に延びる谷折線５２９と、谷折線５２９の先端から正面板５２０の上端縁に沿う方向に延びる山折線５２１と、谷折線５２９の先端から山折線５２１の先端を通って正面板５２０の上端縁まで延びる概略逆Ｊ字状の破断予定線とが形成されている。このとき、正面板５２０の上端縁と、谷折線５２９と、破断予定線とで画定された領域のうち、山折線５２１より上側の領域が第１表示領域５２２であり、山折線５２１より下側の領域が第２表示領域５２３である。
【００７２】
上述した第１実施形態おいては、第１表示領域２２は正面板２０の上端縁から延出しており、第２表示領域２３と山折線２１を中心線として上下対称に形成されているものを示したが、本実施形態で示すように、第１表示領域５２２も正面板５２０内に形成された上で、第２表示領域５２３と山折線５２１を中心線として上下対称に形成されていてもよい。
【００７３】
また、第１実施形態及び第２実施形態においては、正面板２０，２２０の上端縁に半円状の摘み部２５，２２５が延出しているものを示したが、これに限るものではなく、図示しないが、矩形状や三角形状等でもよいし、第３実施形態乃至第５実施形態で示すように、摘み部は形成されていなくてもよい。
【００７４】
以下、図示しないその他の変形例について説明する。
【００７５】
第１実施形態及び第２実施形態においては、本考案の包装箱１，２は所謂Ｂ式の段ボール箱であるものを示したが、これに限るものではなく、所謂Ａ式の段ボール箱でもよいし、正面板を有するものであれば他の形式の包装箱でもよい。
【００７６】
また、第１実施形態及び第２実施形態においては、本考案の箱本体７０，２７０は四角筒状であるものを示したが、これに限るものではなく、例えば、三角筒状、五角筒状、六角筒状、七角筒状、八角筒状等でもよい。
【００７７】
また、第１実施形態及び第２実施形態においては、正面板２０，２２０及び背面板５０，２５０がいわゆる長側面、第１側面板３０，２３０及び第２側面板４０，２４０がいわゆる短側面になっている直方体状の包装箱を例に説明したが、本考案はこれに限らず、正面板２０，２２０及び背面板５０，２５０と第１側面板３０，２３０及び第２側面板４０，２４０との横幅が等しい直方体状であってもよいし、さらには立方体状であってもよい。
【００７８】
また、第１実施形態においては、材料として段ボール板紙１０を用いたが、本考案はこれに限らず、厚紙等の板紙を用いてもよい。
【００７９】
また、第１実施形態においては、背面板５０に折目線ｂを介して接着片５１が連設されているものを示したが、本考案はこれに限るものではなく、第１側面板３０に折目線ｂを介して接着片５１が連接されていてもよい。
【００８０】
また、第１実施形態においては、蓋板８０の上端縁にタック８１が折目線ｅを介して連設されているものを示したが、本考案はこれに限るものではなく、タック８１は形成されていなくてもよい。
【００８１】
また、第１実施形態及び第２実施形態においては、蓋板８０，２８０を有する包装箱を例に説明したが、本考案はこれに限るものではなく、蓋板を有さないトレー等の箱体であってもよい。
【００８２】
また、第１実施形態においては、内フラップ３１，４１として、正面板２０側の側端縁は、先端部がわずかに切り欠かれているもの例に説明したが、本考案はこれに限るものではなく、一般的な矩形状であってもよいし、内フラップ３１，４１が形成されていなくてもよい。
【００８３】
また、第１実施形態においては、第２底板フラップの６２のうち６２ｂより左下側の内面側と、これに重ねられた隣接する第１底板フラップ６１の表面側とを糊付け等によって固定するものを示したが、本考案はこれに限るものではなく、第２底板フラップの６２のうち６２ｂより左下側の表面側と、これに重ねられた隣接する第１底板フラップ６１の内面側とを糊付け等によって固定してもよい。
【００８４】
また、第１実施形態においては、第１側面板３０及び第２側面板４０の下端縁に折目線ｆを介して一対の第１底板フラップ６１が、正面板２０及び背面板５０の下端縁に折目線ｇを介して一対の第２底板フラップ６２がそれぞれ連設されているものを示したが、本考案はこれに限るものではなく、第１側面板３０及び第２側面板４０の下端縁に折目線ｇを介して一対の第２底板フラップ６２が、正面板２０及び背面板５０の下端縁に折目線ｆを介して一対の第１底板フラップ６１がそれぞれ連設されていてもよい。
【００８５】
また、第１実施形態においては、底板６０が所謂ワンタッチ底組式である包装箱を例に説明したが、本考案はこれに限るものではなく、一対の内フラップと一対の外フラップを有するものでもよいし、箱本体７０の下方端を閉塞することができればその他の形式でもよい。
【００８６】
また、第１実施形態及び第２実施形態においては、第１表示領域２２，２２２の形状と第２表示領域２３，２２３の形状が山折線２１，２２１を中心線として上下対称又は左右対称に形成されているものを示したが、本考案はこれに限るものではなく、上下非対称又は左右非対称に形成されていてもよい。
【００８７】
また、第１実施形態及び第２実施形態においては、第１表示領域２２，２２２及び第２表示領域２３，２２３が正面板２０，２２０の左右の側端縁から一定の距離を存したものを示したが、本考案はこれに限るものではなく、左右いずれかの側端縁に接していてもよいし、左右の側端縁に接していてもよい。
【００８８】
また、第１実施形態においては、破断予定部２４は第２表示領域２３の下底及び左側縁に沿って概略Ｌ字状に形成されているものを示したが、本考案はこれに限るものではなく、例えば、第２表示領域２３の下底及び右側縁に沿って概略逆Ｌ字状に形成されているものでもよいし、第２表示領域２３の左右どちらかの側縁に沿って矩形状に形成されているものでもよいし、破断予定部２４は形成されていなくてもよい。
【００８９】
また、第１実施形態においては、箱本体７０の上端縁に平行に沿って延設されたジッパーＺ１及びＺ２を示したが、本考案はこれに限るものではなく、ジッパーは形成されていなくてもよい。
【００９０】
また、第１実施形態においては、第１表示領域２２と第２表示領域２３とをホットメルト接着剤によって接着したが、固定方法はこれに限らず、接着剤は酢酸ビニル樹脂接着剤等の他の接着剤でもよく、あるいは両面テープやステープラーを用いて固定してもよく、山折線にしっかり折癖をつけることで固定してもよい。
【００９１】
また、第２実施形態においては、第１表示領域２２２と第２表示領域２２３とを折り重ねるものを示したが、第１表示領域２２２及び第２表示領域２２３をそれぞれ箱本体２７０の外側に折り返す、所謂観音開きのような形状でもよい。
【符号の説明】
【００９２】
１，２…包装箱
２０，２２０…正面板
２１，２２１，４２１，５２１…山折線
２２，２２２，４２２，５２２…第１表示領域
２３，２２３，３２３，４２３，５２３…第２表示領域
２６，２２６…第１破断予定線
２７，２２７…第２破断予定線
２８…第３破断予定線
２９，２２９，３２９，４２９，５２９…谷折線
３０，２３０…第１側面板
４０，２４０…第２側面板
５０，２５０…背面板
６０，２６０…底板
７０，２７０…箱本体
８０，２８０…蓋板
【図１】
0003220116.tif 000003
【図２】
0003220116.tif 000004
【図３】
0003220116.tif 000005
【図４】
0003220116.tif 000006
【図５】
0003220116.tif 000007